(57)【要約】【課題】微小な無線タグを効率的に使用することができる線状無線タグ体を提供すること。【解決手段】線状無線タグ体１１は、電気信号を無線により送信する送信部を内蔵する小径の無線タグ１３と、この無線タグを所定間隔離して保持する線状の保持体（ポリマー１２）とを備えて成る。【選択図】　図１
2004005467.tif 000002
【特許請求の範囲】
【請求項１】
電気信号を無線により送信する送信部を内蔵する小径の無線タグと、
この無線タグを所定間隔離して保持する線状の保持体とを備えて成ることを特徴とする線状無線タグ体。
【請求項２】
センサとこのセンサにより測定された値を電気信号として無線により送信する送信部を有する小径の無線タグと、
この無線タグを所定間隔離して保持する線状の保持体とを備えて成ることを特徴とする線状無線タグ体。
【請求項３】
前記無線タグは、前記保持体内に保持されたアンテナを有することを特徴とする請求項２記載の線状無線タグ体。
【請求項４】
前記無線タグは、前記保持体の表面に一部露出したアンテナを有することを特徴とする請求項２記載の線状無線タグ体。
【請求項５】
前記無線タグは、前記保持体の表面に印刷配線により螺旋状に印刷されたコイルを有することを特徴とする請求項２記載の線状無線タグ体。
【請求項６】
小径の無線タグを所定間隔離して保持する線状の保持体を複数本、編むことにより作られた線状無線タグ体のシステムであって、
前記無線タグは、電気信号を無線により送信する送信部を内蔵することを特徴とする線状無線タグ体のシステム。
【請求項７】
小径の無線タグを所定間隔離して保持する線状の保持体を複数本、編むことにより作られた線状無線タグ体のシステムであって、
前記無線タグは、センサとこのセンサにより測定された値を電気信号として無線により送信する送信部を有することを特徴とする線状無線タグ体のセンサシステム。
【請求項８】
電気信号を無線により送信する送信部を内蔵する小径の無線タグとこの無線タグを所定間隔に保持する線状の保持体とから成る線状無線タグ体の前記送信部から電気信号を送信する送信ステップと、
この送信ステップにより送信された前記電気信号を受信しこの電気信号を送信した前記無線タグの位置を検出する位置検出ステップとを有する、線状無線タグ体を用いた位置検出方法。
【請求項９】
センサ及びこのセンサにより測定された値を電気信号として無線により送信する送信部を内蔵する小径の無線タグとこの無線タグを所定間隔に保持する線状の保持体とから成る線状無線タグ体の前記送信部から電気信号を送信する送信ステップと、
この送信ステップにより送信された前記電気信号を受信しこの電気信号を送信した前記無線タグの位置及びその無線タグの前記センサにより測定された値を検出するセンサ値検出ステップとを有する、線状無線タグ体を用いたセンサ値検出方法。
【請求項１０】
電気信号を無線により送信する送信部を内蔵する小径の無線タグを融解されているポリマー中に投入する投入ステップと、
この投入ステップにより投入された前記無線タグ及び前記融解されているポリマーの混合体をノズルから引き出す引出ステップと、
この引出ステップにより引き出された前記混合体を冷やし、線状のポリマー中に前記無線タグを所定間隔離して配置させた線状無線タグ体を得る線状化ステップとを有することを特徴とする線状無線タグ体の製造方法。
【請求項１１】
センサとこのセンサにより測定された値を電気信号として検出する検出部を有する小径の無線タグと、
この無線タグにより検出した電気信号を光信号として発生する光信号発生部と、
この光信号発生部及び前記無線タグを所定間隔離して保持する線状の保持体とを備え、
前記光信号発生部の発生する光信号を前記保持体中を通して送信することを特徴とする線状無線タグ体。
【請求項１２】
前記線状無線タグ体を並列に配置させ、これらの線状無線タグ体内に配置された前記無線タグ内の前記センサにより得られた電気信号を前記光信号発生部にて発生された光信号として前記線状無線タグ体の端部から得ることを特徴とする請求項１１記載の線状無線タグ体。
【請求項１３】
前記線状無線タグ体を並列及びこれらと直交する方向に複数、配置させ、これらの線状無線タグ体内に配置された前記無線タグ内の前記センサにより得られた電気信号を前記光信号発生部にて発生された光信号として前記線状無線タグ体の端部から得ることにより、２次元として各無線タグの位置における電気信号を得ることを特徴とする請求項１１記載の線状無線タグ体。
【請求項１４】
センサとこのセンサにより測定された値を電気信号として送信する送信部と、電磁誘導により電力の供給を受ける電源部とを有する小径の無線タグと、
この無線タグを所定間隔離して保持する線状の保持体とを備え、
前記無線タグの前記電源部に電力の供給を受けて前記送信部から前記センサにより測定された値の電気信号を送信することを特徴とする線状無線タグ体。
【請求項１５】
前記電源部になされる電力の供給と、前記センサに測定された値の伝送とは周波数において異なる帯域を用いることを特徴とする請求項１４記載の線状無線タグ体。
【請求項１６】
前記電源部になされる電力の供給と、前記センサに測定された値の伝送とは、異なる時間においてなされることを特徴とする請求項１４記載の線状無線タグ体。
【請求項１７】
前記線状無線タグ体を並列及びこれらと直交する方向に複数、配置させ、これらの線状無線タグ体内に配置された前記無線タグは隣接する無線タグから電磁誘導により電力の供給を受けると共に、
前記無線タグ内の前記センサにより得られた電気信号を前記光信号発生部にて発生された光信号として前記線状無線タグ体の端部から得ることにより、２次元として各無線タグの位置における電気信号を得ることを特徴とする請求項１４記載の線状無線タグ体。
【請求項１８】
第１の電磁コイル、この電磁コイルに誘導された起電力を平滑化する平滑回路、この平滑回路の出力を供給され発振する発振回路及びこの発振回路出力を通す第２の電磁コイルを有する小径の無線タグと、
この無線タグにより検出した電気信号を光信号として発生する光信号発生部と、
この光信号発生部及び前記無線タグを所定間隔離して保持する線状の保持体とを備え、
前記発振回路は温度により発振周波数が変化する発振回路であり、
前記無線タグは前記第１の電磁コイルに電力の供給を受けると共に、前記光信号発生部の発生する光信号は前記保持体中を通して送信されることを特徴とする線状無線タグ体。
【請求項１９】
前記発振回路は、温度により容量が変化するコンデンサを有するコルピッツ発振回路であることを特徴とする請求項１８記載の線状無線タグ体。
【請求項２０】
前記発信回路は、温度により抵抗が変化する無安定マルチバイブレータであることを特徴とする請求項１８記載の線状無線タグ体。
【請求項２１】
前記光信号発生部は、ＬＥＤであることを特徴とする請求項１８記載の線状無線タグ体。
【請求項２２】
前記保持体は、プラスティック光ファイバーで形成されて成ることを特徴とする請求項１８記載の線状無線タグ体。
【発明の詳細な説明】
【０００１】
【発明の属する技術分野】
本発明は、微小な無線タグを用いた線状無線タグ体及びその製造方法などに関する。
【０００２】
【従来の技術】
近年、いろいろな分野で、無線通信ＩＣとアンテナから成るゴマ粒大の無線タグを多数用いて種々の情報を収集する技術がナノテクノロジーとして注目を集めている。
【０００３】
上記のような無線タグを用いてある領域から詳しい情報を得ようとする場合、その領域に上記の無線タグを置けばそれなりに情報を集めることができる。しかし、無線タグのコストを考慮するとある領域のみに集合させておくとその費用が高くなることになり得策ではない。また狭い領域から多くの情報を得ることは通常必要でなく、一般的には無駄である。
【０００４】
したがって、このような無線タグを効率的に用いるためには、ある程度均一にばら撒く必要があるが、ある広がった領域にこれらの無線タグを、常にしかもほぼ均一に位置させることは通常、困難である。
【０００５】
【発明が解決しようとする課題】
本発明は，上記のような従来の問題点に鑑みてなされたもので、微小な無線タグを効率的に使用することができる無線タグ体を提供することを目的とする。
【０００６】
【課題を解決するための手段】
上記目的を達成するために、本発明の請求項１によれば、電気信号を無線により送信する送信部を内蔵する小径の無線タグと、この無線タグを所定間隔離して保持する線状の保持体とを備えて成ることを特徴とする線状無線タグ体を提供する。
【０００７】
本発明の請求項２によれば、センサとこのセンサにより測定された値を電気信号として無線により送信する送信部を有する小径の無線タグと、この無線タグを所定間隔離して保持する線状の保持体とを備えて成ることを特徴とする線状無線タグ体を提供する。
【０００８】
本発明の請求項６によれば、小径の無線タグを所定間隔離して保持する線状の保持体を複数本、編むことにより作られた線状無線タグ体のシステムであって、前記無線タグは、電気信号を無線により送信する送信部を内蔵することを特徴とする線状無線タグ体のシステムを提供する。
【０００９】
本発明の請求項７によれば、小径の無線タグを所定間隔離して保持する線状の保持体を複数本、編むことにより作られた線状無線タグ体のシステムであって、前記無線タグは、センサとこのセンサにより測定された値を電気信号として無線により送信する送信部を有することを特徴とする線状無線タグ体のセンサシステムを提供する。
【００１０】
本発明の請求項８によれば、電気信号を無線により送信する送信部を内蔵する小径の無線タグとこの無線タグを所定間隔に保持する線状の保持体とから成る線状無線タグ体の前記送信部から電気信号を送信する送信ステップと、この送信ステップにより送信された前記電気信号を受信しこの電気信号を送信した前記無線タグの位置を検出する位置検出ステップとを有する、線状無線タグ体を用いた位置検出方法を提供する。
【００１１】
本発明の請求項９によれば、センサ及びこのセンサにより測定された値を電気信号として無線により送信する送信部を内蔵する小径の無線タグとこの無線タグを所定間隔に保持する線状の保持体とから成る線状無線タグ体の前記送信部から電気信号を送信する送信ステップと、この送信ステップにより送信された前記電気信号を受信しこの電気信号を送信した前記無線タグの位置及びその無線タグの前記センサにより測定された値を検出するセンサ値検出ステップとを有する、線状無線タグ体を用いたセンサ値検出方法を提供する。
【００１２】
本発明の請求項１０によれば、電気信号を無線により送信する送信部を内蔵する小径の無線タグを融解されているポリマー中に投入する投入ステップと、この投入ステップにより投入された前記無線タグ及び前記融解されているポリマーの混合体をノズルから引き出す引出ステップと、この引出ステップにより引き出された前記混合体を冷やし、線状のポリマー中に前記無線タグを所定間隔離して配置させた線状無線タグ体を得る線状化ステップとを有することを特徴とする線状無線タグ体の製造方法を提供する。
【００１３】
本発明の請求項１１によれば、センサとこのセンサにより測定された値を電気信号として検出する検出部を有する小径の無線タグと、この無線タグにより検出した電気信号を光信号として発生する光信号発生部と、この光信号発生部及び前記無線タグを所定間隔離して保持する線状の保持体とを備え、前記光信号発生部の発生する光信号を前記保持体中を通して送信することを特徴とする線状無線タグ体を提供する。
【００１４】
本発明の請求項１４によれば、センサとこのセンサにより測定された値を電気信号として送信する送信部と、電磁誘導により電力の供給を受ける電源部とを有する小径の無線タグと、この無線タグを所定間隔離して保持する線状の保持体とを備え、前記無線タグの前記電源部に電力の供給を受けて前記送信部から前記センサにより測定された値の電気信号を送信することを特徴とする線状無線タグ体を提供する。
【００１５】
本発明の請求項１８によれば、第１の電磁コイル、この電磁コイルに誘導された起電力を平滑化する平滑回路、この平滑回路の出力を供給され発振する発振回路及びこの発振回路出力を通す第２の電磁コイルを有する小径の無線タグと、この無線タグにより検出した電気信号を光信号として発生する光信号発生部と、この光信号発生部及び前記無線タグを所定間隔離して保持する線状の保持体とを備え、前記発振回路は温度により発振周波数が変化する発振回路であり、前記無線タグは前記第１の電磁コイルに電力の供給を受けると共に、前記光信号発生部の発生する光信号は前記保持体中を通して送信されることを特徴とする線状無線タグ体を提供する。
【００１６】
【発明の実施の形態】
以下、本発明の各実施形態について図面を用いて説明する。センサ機能を有する小径の無線タグをほぼ均一に位置させるためには、これらの無線タグを保持体に一定間隔で保持させればよい。即ち、無線タグを１次元的に均一に配置するためには、線状の保持体に無線タグを一定間隔で固定すればよく、無線タグを２次元的に配置するためには、上記の無線タグを線状の保持体に一定間隔で保持した無線タグ体を、例えば縦方向と横方向に編むことにより可能となる。
【００１７】
上記無線タグ体に固定される無線タグは、上記線状保持体内に所定間隔で埋めるようにしてもよく、また、上記線状保持体を中空構造とし、この中空の保持体中にセンサ機能を有する無線タグを所定間隔で入れてから埋めるようにしてもよい。
【００１８】
図１に、本発明による線状無線タグ体の一実施形態の構造を示す。この線状無線タグ体１１は、線状のポリマー１２とこのポリマー中に埋め込まれた無線タグ１３とから成っている。無線タグ１３は、例えば直径１ｍｍ以下の球状の素子であり、図示していないが、内部には温度センサとこの温度センサにより測定した温度信号及びその位置の信号を変調する変調器とこの変調器により変調された温度信号及び位置信号を送信するアンテナが内蔵されている。ポリマー１２は過熱することにより溶融し、冷却することによって固体となる熱可塑性を有する。
【００１９】
この線状無線タグ体１１は、例えば図２に示すような線状無線タグ製造装置２１により製造される。この装置は、上部に球状の無線タグ１３を投入するパイプ２２を有し、融解したポリマー２３を貯めるタンク２４と、このタンク２４の下部に取り付けられたポンプ２５と、このポンプ２５から引き出された融解ポリマー及び無線タグ１３の混合物を糸状に抽出するノズル２６と、このノズルから引き出された上記混合物を、冷却しローラ２７ａ，２７ｂを介して巻き取る巻取リール２８とから成る。図２に示した線状無線タグ製造装置２１により、図１に示された構造の線状無線タグ体１１が製造されて、巻取リール２８に巻き取られることになる。
【００２０】
融解ポリマー２３と無線タグ１３がタンク２４からポンプ２５により引き出され、更にノズル２６から線状に引き出される工程は、通常の紡糸プロセスと同様である。
【００２１】
図１に示したポリマー１２中に配置される無線タグ１３の間隔は、パイプ２２から融解ポリマー２３が入っているタンク２４に投入される無線タグの量、即ちタンク２４中の無線タグ１３の密度により調整される。無線タグ１３間の間隔を短くしたいときには、多くの無線タグを融解ポリマー２３中に投入し、無線タグ１３間の間隔を長くしたいときには、融解ポリマー２３中に投入する無線タグ１３の量を少なくすればよい。
【００２２】
このようにして製造された線状無線タグ体１１は、普通の繊維と同じように編んで用いることができる。例えば、洋服や帽子、カーテン、網、ぬいぐるみのロボットの繊維素材などに用いることができ、健康で安全な製品を作ることができる。
【００２３】
そして、この線状無線タグ体１１により作られたこれらのものには、温度センサが入った無線タグ１３により常時温度を検出して、送信することになり、それらの無線タグから発する信号を受信する受信機を備えておけば、それらの線状無線タグ体により製造された製品の各部の温度を、外部においてしかも非接触で立体的に検出することができる。
【００２４】
また、上記線状無線タグ体１１により、釣り糸、ロープ、電線や光ファイバの外皮素材とすれば、その長さ方向に沿って、温度をモニタすることができる。上記線状無線タグ１１を釣り糸として用いた場合には、図３に示すように、その釣り糸３１に沿って無線タグ３２による温度センサが配設されていることになり、これら無線タグからの温度信号を受信機３５で受信する。したがって釣り糸３１に設けられている無線タグ３３によって、釣り糸３１が伸びている範囲で水中の温度を検出することが可能となる。
【００２５】
また、自動車などのタイヤの強化繊維素材として、上記線状無線タグ１１を用いれば、タイヤの温度を測定することが可能となり、タイヤが過熱したことを検知して警報を発することなどにより事故を未然に防ぐことができる。
【００２６】
なお、上記の線状無線タグ体は、上述のように溶解ポリマーを用いなくても製造することができる。例えば、図４に示すように片面が粘着性を有するテープ４１及び４２を合わせてその間に無線タグ４３を所定間隔をおいて挟み、合わせて接着するようにすれば、内部に所定間隔で無線タグを保持した線状無線タグ体４４を製造することができる。
【００２７】
また、図５に示すように線状無線タグ体５１を、複数の撚り線５２で無線タグ５３を挟むようにして製造することもできる。この場合撚り線５２に粘着性を与えておき、無線タグ５３を粘着力で挟むようにしてもよい。
【００２８】
図６は線状無線タグ体の他の製造方法を示したものであり、溝６１（フローチャンネル）を設けたＭＥＭＳ（Ｍｉｃｒｏ　Ｅｌｅｃｔｒｏ　Ｍｅｃｈａｎｉｃａｌ　Ｓｙｓｔｅｍ）基板を用い、この溝の一方から無線タグ６３を入れ、ポリマー溶液を貯めてある凹部６４から融解したポリマーを流して溝の他端から引き出してポリマー内に無線タグ６３を有する線状無線タグ体６５を製造することもできる。
【００２９】
また、本発明では、温度を検知する無線タグだけでなく、光を検知し電気信号に変える機能を有する無線タグを用いることもできる。図７（ａ）に示した例は、プラスチック製の光ファイバー７１中の中央付近、即ちコア部に所定間隔をおいて、発光粒子７２の他に光電変換機能を有する無線タグ７３を設けた線状無線タグ体７４である。この実施形態では、光ファイバー７１の一方から光が入射すると、発光粒子７２が発光し、この光を無線タグ７３が受けて電気信号に変換し、図示していない無線受信機にその電気信号を送るものである。したがって、光ファイバーに入射する光の強さを無線タグで検知しその強さを電気信号として離れたところに設置された受信機で検知できることになる。
【００３０】
更に、図７（ｂ）に示すように、線状無線タグ体７１の光ファイバー７２中に設ける無線タグ７３を中心から外れたクラッド部に設けることにより、クラッド部におけるエバネッセント波の大きさを検出するようにすることもできる。なおこの図において、７５は光ファイバー７２内の屈折率の大きさを示す。
【００３１】
また、図８に示すように、線状無線タグ体８１を、導電性ポリマー８２中に無線タグ８３を所定間隔をおいて設けておく構成とすることにより、電流を流したときに、無線タグ８３間での電気配線に用いたり、あるいは、電流や電圧の強さを上記無線タグ８３で検出することにより、電界、磁界、あるいは電波などを検出するセンサＩＣ管として用いることもできる。
【００３２】
また、無線タグを内部に配置した線状無線タグ体を１つ１つ分離して使うようにすることもできる。例えば、図９に示すように熱融解し接着性を有するポリマー９２中に無線タグ９３を所定間隔離して配置し、点線９４の位置で分断できるようにする。したがって、このような線状無線タグ体の端からアイロンなどにより熱を１単位毎に加えて分断し、用紙９５の端に加熱溶着で固定することができる。固定された無線タグ９３中に温度センサを内蔵させておけばその用紙の表面温度を検出できることになる。
【００３３】
また無線タグに位置を知らせる発信機を内蔵させれば、この無線タグから発する電波を受信することにより、無線タグの張りつけられた物品の現在ある位置を検知することができ、簡単に物品の追跡が可能となる。
【００３４】
また弾性素材の中に無線タグを配置することもできる。図１０において、線状無線タグ体１００１は、伸縮する材料例えばゴム１００２中に球状の無線タグ１００３を所定間隔離して配置されている。
【００３５】
また、図１１に示すように、ポリマー１１０１中にカーボンナノコイル１１０２と球状の無線タグ１１０３を配置させて線状無線タグ体１１０４を製造する。この場合カーボンナノコイル１１０２で例えば５ＧＨｚの電波を受けて誘導カップリングにより無線タグ中にある受信機で受信するようにすれば、電波を受けることが容易なアンテナとして用いることができる。
【００３６】
同様にして、光センサを内蔵させた無線タグを、放射線と相互作用して蛍光を発する蛍光プラスチックファイバ（シンチレーションファイバ）の中に配置することにより放射線モニターを作ることができる。また、蛍光粒子とその粒子のセンサを内蔵する無線タグを混ぜ合わせてファイバ中に入れれば、光増感ができ、紫外線励起させ、位置確認を行うことや、前記無線タグのセンサに光により充電することができる。
【００３７】
また、圧力を加えると光が発生したり、温度が上昇する特殊なポリマーファイバに、光センサや温度センサを内蔵させた無線タグを埋め込むことにより、圧力を検出する線状無線タグ体を製造することができる。
【００３８】
更に、磁気微粒子と粒子センサを内蔵する無線タグを混ぜ合わせてファイバ中に配置させれば、この線状無線タグ体を金属面に付着させることができる。
【００３９】
また、図１２に示すようにファイバ１２０１中にマイクロ磁石１２０２と球状の無線タグ１２０３を配置させた線状無線タグ体１２０４を作り、上記マイクロ磁石１２０２をコード化したり、このような線状無線タグ体１２０４を用いて特定位置で相互に吸着させることにより、例えば温度センサを内蔵する無線タグ１２０３ａと光センサを内蔵する無線タグ１２０３ｂを近接させることが可能となる。
【００４０】
上記のような線状無線タグ体の製造方法であるが、図１３（ａ）に示すように、中央に孔１３０１を有する加熱すると収縮する性質のあるプラスチック１３０２の上記孔１３０１に、球状の無線タグ１３０３を入れて空気圧や水圧で移動させてから、熱を加えることにより線状無線タグ体１３０４を製造することができる。あるいは、無線タグ１３０３を固定せず、空気圧あるいは水圧で上記孔１３０１中を移動させることにより、無線タグが内蔵する温度センサなどにより、温度を検出することができる。
【００４１】
更に、図１３（ｂ）に示すように、中空パイプ１３０６の中に球状の無線タグ１３０７を所定間隔で固定した線状無線タグ体１３０８を移動させて、無線タグ１３０７が内蔵するセンサの検出する位置を変えるようにすることができる。
【００４２】
また、図１４に示すように、中空パイプ１４０１の側壁１４０２に無線タグ１４０３を組み込んで、これらの無線タグ１４０３に内蔵される温度センサや圧力センサにより気体や流体の温度や圧力を測定する線状無線タグ体１４０４を製造することができる。この場合、プラスチックの押出成形法により、パイプを製造するとき、無線タグ１４０３を混ぜ合わせておけばよい。
【００４３】
また、線状無線タグ体は、図１５に示すように、側面に所定距離おいて微小孔１５０１を有するパイプ１５０２のこれらの微小孔１５０１から、球状の無線タグ１５０３を挿入し、矢印１５０４に示すように移動させ、固定することにより、製造することもできる。
【００４４】
また、図１６に示すように、Ｔダイ法やインフレーション法によりプラスチックのフィルを作成するときに球状の無線タグ１６０３を混ぜておき、それを帯状に部分切断して紐１６０４を作る、あるいは無線タグを含む微小四角１６０５を複数個切り出して、図１６（ｂ）に示すように、それらを互いに接着することにより無線タグ１６０３が所定間隔に配置された線状無線タグ体１６０８を製造することができる。
【００４５】
また、図１７に示すように、固定基板１７０１の上に、球状の無線タグ１７０３を配置し、それらの無線タグを電磁カップリングで接続することにより、柔軟に設計を変えることができる、電子回路基板を製造することができる。
【００４６】
また、図１８（ａ）に示すように、アンテナ１８０１の中に、無線タグ１８０３を入れてそれらの間を電気的に結べば、広帯域な電磁波を受信して信号処理できるアンテナとして用いることもできる。１８０４は送信源である。また、図１８（ｂ）に示すように、２分の１の波長（λ）の長さの導電性ポリマー１８０５の中に無線タグ１８０６を入れることにより高感度なアンテナとして用いることができる。なお、１８０８は支柱である。
【００４７】
次に更に他の実施形態について説明する。図１９（ａ）に示す線状無線タグ体１９０１は、ポリマー繊維１９０２の中に無線タグ１９０３として微小センサＩＣを埋め込んだものである。この無線タグ１９０３は、図１９（ｂ）に示すように、センサ部１９０４、ＰＮ接合により構成された光電変換部１９０５、メモリやＲＦ回路、論理回路を含む回路部１９０６、更に電磁界結合のためのコイル１９０７が設けられている。無線タグ１９０３内にその無線タグの位置を検知する位置センサを設ける場合もある。
【００４８】
外部からコイル１９０７を介して電力が供給され、このコイル１９０７を介して、センサ部１９０４や光電変換部１９０５で得られた信号は電気信号として外部に送信される。外部から光を照射し光励起を行う場合には、上記ポリマー繊維１９０２は透明の材質のものを用いることが望ましい。またポリマー繊維１９０２として水分を吸収すると高温に発熱する特殊ポリエステル系の材料を用いれば、水分が拡散して線状の水分センサとしてこの線状無線タグ体を用いることができる。
【００４９】
本発明において、外部からの電力の供給を受け、あるいはセンサ部により無線タグ内で得た電気信号を外部に伝送するアンテナを、線状タグ体の中に埋め込みあるいは、線状タグ体の表面に設けることができる。このような実施形態を以下に説明する。
【００５０】
図２０に示す本発明の実施形態では、無線タグ２００３として微小センサＩＣを、ポリマー繊維であるポリスチレン２００４中に埋め込み、このポリスチレンの表面に、印刷配線によりアンテナ２００５となる導体箔を設けたものである。２００６は導体で構成され、無線タグ２００３の端子とアンテナ２００５を接続するためのバンプである。このように、表面にアンテナ２００５が印刷配線により形成されたポリスチレン２００４は、その上にポリスチレンがコーティングされて、線状無線タグ体２００１が構成されている。
【００５１】
無線タグ２００３には、図示していないが、温度及び位置を検出するセンサ部、ＲＦ回路、論理回路、ＰＮ接合により構成された光電変換部が内蔵されている。無線タグ２００３により得られた電気信号はバンプ２００６を介してアンテナ２００５により、外部に送信される。
【００５２】
図２１に示す実施形態では、無線タグ２１０３が微小径のポリマーで形成された中空のパイプ２１０４内に挿入される。パイプ２１０４内の無線タグ２１０３の端子はリード線２１０５に接続されパイプ２１０４の側面に設けられた孔２１０６を通して、パイプ２１０４の表面に印刷配線により設けられたアンテナ２１０７と接続される。このようにして線状無線タグ体２１０１が構成されている。無線タグ２１０３には、図示していないが、センサ部、ＲＦ回路、論理回路、ＰＮ接合により構成された光電変換部が内蔵されている。パイプ２１０４の中の無線タグ２１０３以外の部分はポリスチレンなど絶縁物が充填されてもよいし、中空のままであってもよい。
【００５３】
無線タグ２１０３内のセンサ部、光電変換部において得られた電気信号はリード線２１０５を介してアンテナ２１０７により、外部に送信される。
【００５４】
なお、この実施形態において、アンテナ２１０７とリード線２１０５に熱電対を構成する適切な２種類の金属を用いると、アンテナ２１０７両端における温度検出が可能となる。
【００５５】
図２２に、本発明の更に他の実施形態を示す。この実施形態では、図２０に示した実施形態と同じように微小ＩＣで構成された無線タグ２２０３を、ポリマー繊維であるポリスチレン２２０４中に埋め込み、このポリスチレンの表面に、印刷配線によりアンテナ２２０５となる導体箔を設ける。この表面上に印刷配線がされたものの上にポリスチレン２２０６がコーティングされ、さらにこのコーティングされた上に螺旋状に導体箔のコイル２２０７が回転印刷により配線され、上記無線タグ２２０３の外部端子はバンプ２２０８を介してアンテナ２２０５及びコイル２２０７が接続される。無線タグ２２０３には、図示していないが、センサ部、ＲＦ回路、論理回路、ＰＮ接合により構成された光電変換部が内蔵されている。無線タグ２２０３内のセンサ部、光電変換部において得られた電気信号はコイル２２０７により、外部に送信される。
【００５６】
図２３に、本発明の更に他の実施形態を示す。この実施形態では、無線タグ２３０３が微小径の電気ケーブル２３０４中に埋め込まれ、その中心導体２１０５が途中で電気ケーブル２３０４の外側に印刷配線により設けられたアンテナ２３０６と接続されて、線状無線タグ体２３０１が構成されている。無線タグ２３０３には、図示していないが、センサ部、ＲＦ回路、論理回路、ＰＮ接合により構成された光電変換部が内蔵されている。無線タグ２３０３内のセンサ部、光電変換部において得られた電気信号はアンテナ２３０６により、外部に送信される。
【００５７】
図２４に、本発明の更に他の実施形態を示す。この実施形態では、無線タグ２４０３が微小径の電気ケーブル２４０４中に埋め込まれ、その中心導体２４０５が途中で電気ケーブル２４０４の外側に印刷配線により設けられたアンテナ２４０６及びコイル２４０７と接続されて、線状無線タグ体２４０１が構成されている。無線タグ２３０３には、図示していないが、センサ部、ＲＦ回路、論理回路、ＰＮ接合により構成された光電変換部が内蔵されている。無線タグ２３０３内のセンサ部、光電変換部において得られた電気信号はアンテナ２４０６及びコイル２４０７により、外部に送信される。
【００５８】
図２０乃至図２４の実施では、線状無線タグ体内の無線タグを１個しか示していないが、いずれの実施形態においても、実際には複数の無線タグが所定間隔で配設されている。またこれらの実施形態における無線タグは、外部から電力（エネルギー）の供給を受けると共に、センサ部で得られた電気信号を外部にデータとして出力する。
【００５９】
図２５に、本発明の更に他の実施形態について示す。同図において、透明なポリマー繊維であるプラスティック光ファイバー（ＰＯＦ）２５０２中に、微小ＩＣで構成された無線タグ２５０３とＬＥＤ２５０５が接続されセットで埋め込まれている。無線タグ２５０３には、センサ部、ＲＦ回路、論理回路、ＰＮ接合により構成された光電変換部及び温度に依存して周波数が変化する発信器（後述する）が内蔵され、線状無線タグ体２５０１が構成される。
【００６０】
無線タグ２５０３に外部から光ビームが励起光２５０４として照射されると、光電変換部において電気が生じ、電力が供給される。温度信号はＬＥＤ２５０５において再び光信号に変えられてＰＯＦ２５０２内を伝送される。無線タグ２５０３内にはセンサ部を有しており、センサ部で得られた検知信号は電気信号として重畳してＬＥＤ２５０５を駆動する。したがって、センサ部で得られた検知信号はＬＥＤ２５０５から発射される光信号に重畳されてＰＯＦ２５０２内を伝送されることになる。
【００６１】
図２６に、本発明の更に他の実施形態を示す。同図において、透明なポリマー繊維であるプラスティック光ファイバー（ＰＯＦ）２６０２中に、微小ＩＣで構成された無線タグ２６０３とＬＥＤ２６０５が接続されセットで埋め込まれている。無線タグ２６０３には、センサ部、ＲＦ回路、論理回路、ＰＮ接合により構成された光電変換部及び温度に依存して周波数が変化する発信器（後述する）が内蔵され、線状無線タグ体２６０１が構成される。無線タグ２６０３に、外部から、励起電磁界２６０４が印加される。この励起電磁界の印加により電力が外部から供給されることになる。電力はＬＥＤ２６０５を駆動して、温度情報は再び光信号に変えられてＰＯＦ２６０２内を伝送される。
【００６２】
無線タグ２６０３内にはセンサ部を有しており、センサ部で得られた検知信号は電気信号として重畳してＬＥＤ２６０５を駆動する。したがって、センサ部で得られた検知信号はＬＥＤ２６０５から発射される光信号に重畳されてＰＯＦ２６０２内を伝送されることになる。
【００６３】
図２７に、周波数が温度に依存する発振回路の例としてコルピッツ発振回路を示す。同図において、トランジスタＴｒ７のベースにコンデンサＣ７１とＣ７２が接続され、これらコンデンサの他端にコイルＬが接続されている。ここでコンデンサＣ７２は温度によって容量が変化する可変容量ダイオードである。
【００６４】
発振周波数ｆ＝１／２π（Ｌ×Ｃ）１／２　であり、ここでＣ＝Ｃ７１×Ｃ７２／（Ｃ７１＋Ｃ７２）となる。
【００６５】
Ｃ７１がＣ７２に比して非常に大きいとき、発振周波数ｆはほぼ１／２π（Ｌ７×Ｃ２）１／２となり、Ｃ７２はＴ−１／２に比例する。これは例えば、Ｓ．Ｍ．Ｓｚｅ著「Ｐｈｙｓｉｃｓ　ｏｆ　Ｓｅｍｉｃｏｎｄｕｃｔｏｒ　Ｄｅｖｉｃｅ」の７９頁や２４９頁に記載されている。
【００６６】
図２７に示したような発振回路を、図２５や図２６に示した無線タグ２５０３，２６０３内に設けることにより、温度によって発振周波数を変えることが可能である。
【００６７】
温度によって発振周波数が変化する他の回路例を、図２８に示す。この回路は無安定マルチバイブレータであり、２個のトランジスタＴｒ８１，Ｔｒ８２と、２個のコンデンサＣ８１，Ｃ８２と２個の温度依存性抵抗Ｒ８１，Ｒ８２と２個の固定抵抗から構成されている。この回路のパルスの周期Ｔは、Ｔ＝０．６９３（Ｃ８１×Ｒ８１＋Ｃ８２×Ｒ８２）で与えられる。
【００６８】
ここで、抵抗Ｒ８１，Ｒ８２を温度により変化する値を可変抵抗とする。これにより、温度が変わると、無安定マルチバイブレータの周期が変化し発振周波数が変化する。図２８に示したような発振回路を、図２５や図２６に示した無線タグ２５０３，２６０３内に設けることにより、温度によって発振周波数を変えることが可能である。
【００６９】
ところで、例えば温度情報を光信号として伝送し電力の供給は電磁結合を介して行うことができる。図２９にこのような実施形態を示す。この部品は、透明なポリマー繊維であるプラスティック光ファイバー（ＰＯＦ）２９０２中に、埋め込まれている。この部品は、電磁コイル２９０３，２９０４とショットキバリアダイオード２９０５とコンデンサ２９０６と発振器２９０７とＬＥＤ２９０８とで構成される。
【００７０】
ショットキバリアダイオード２９０５は電磁コイル２９０３に誘導された交流を整流するためにあり、このダイオードとコンデンサ２９０６で平滑回路を構成する。発振器２９０７は、その出力発振周波数が温度によって変化する発振器である。ＬＥＤ２９０８から発した光信号がＰＯＦ２９０２内を伝送する一方、電磁コイル２９０３を介して電磁界により、近い位置にある電磁コイルに電力を伝えることができる。
【００７１】
無線タグ体が２本接続される位置における光信号と電力供給の伝達の様子を図３０に示す。この図において、番号３００１ａ〜３００８ａ、番号３００１ｂ〜３００８ｂは、図２９における番号２９０１〜２９０８に対応する。
【００７２】
一方、線状無線タグ体３００１ｂ内の発信器３００７ｂの電気信号はＬＥＤ３００８ｂに伝えられ、このＬＥＤ３００８ｂから発する光信号も右方向に伝送される。発信器３００７ａの基本発振周波数をｆａとし、発信器３００７ｂの基本発振周波数をｆｂとする。発信器３００７ａの発振周波数がこの無線タグにおける温度によって変化し、また発信器３００７ｂの発振周波数も別の無線タグの温度によって変化するので、図３１の矢印３１０、３１に示すように発信器の発振周波が変化する。線状無線タグ体３００１ａ内の温度依存性ある発信器３００７ａから発した電気信号はＬＳＤ３００８ａに伝えられる。ＬＥＤ３００８ａから発する光信号は温度の情報を含むことになり、この光信号はＰＯＦ３００２ａを通り、更に線状無線タグ体３００１ｂのＰＯＦを通って右方向に伝送される。
【００７３】
ＬＥＤ３００８ａから発する光信号は、発信器３００７ａの発振周波数の変動を含んでいる。一方ＬＥＤ３００８ｂから発する光信号は発信器３００７ｂの発振周波数の変動を含んでいる。したがって、ＬＥＤ３００８ａから発する光信号の偏移とＬＥＤ３００８ｂから発する光信号の偏移を検出することによって、各無線タグにおける温度を検出することができる。
【００７４】
一般的には、線状無線タグ体中に所定間隔離して配置された無線タグの中に温度により発振周波数が変化する発信器を内蔵させることにより、各無線タグのＬＥＤから発する光信号を検知し、その周波数偏移を検出することによって、各無線タグにおける温度を外部から知ることが可能となる。即ち、線状無線タグ体の一端に光受信機を備え、受信した光信号を周波数分離し、各基本周波数からの周波数偏移を検出することによって、各無線タグにおける温度を検出できる。
【００７５】
このとき、各無線タグからそれらの位置情報も光信号に含めて送信されれば、各位置における温度が検出されることになる。位置情報が送られなくとも無線タグの数あるいはそれら無線タグの間隔が知られていれば、各無線タグの位置は推定でき、温度分布を知ることができる。
【００７６】
一方、電磁コイル３００４ａによって電磁界が形成され、この電磁界によって電磁コイル３００３ｂに起電力が誘起される。この誘起された起電力はショットキバリアダイオード３００５ｂとコンデンサ３００６ｂから成る平滑回路によって整流され発信器３００７ｂに供給される。このようにして電力が伝達される。
【００７７】
ところで、上記実施形態では、線状無線タグ体が端面から電力が伝達されていた。しかし、線状無線タグ体の途中から、電力を別の線状無線タグ体の無線タグに供給するようにすることもできる。このような本発明の他の実施形態の構成を図３２に示す。図３２において、符号３２０１ａ〜３２０８ａ、符号３２０１ｂ〜３２０８ｂは図２９における符号２９０１〜２９０８に対応する。この場合には、電磁コイル３２０４ａにより電磁界が生じ、この電磁界によって電磁コイル３２０３ｂに起電力が生ずる。この起電力はショットキバリアダイオード３２０５ｂとコンデンサ３２０６ｂから成る平滑回路により整流され、発信器３２０７ｂに供給される。この発信器の出力が電磁コイル３２０４ｂに流れて電磁界が形成される。
【００７８】
一方、発信器３２０７ｂは温度により発振周波数が変化するので、この出力が供給されるＬＥＤ３２０８ｂの光信号の周波数偏移が生じ、この光信号を受光することにより、発信器３２０７ｂにおける温度を検出できる。
【００７９】
上述のような無線タグを所定間隔で設けた線状無線タグ体を、縦横に配置し固定することによって無線タグを２次元的に配置することが可能になる。例えば、図３３に示すように天井３３０１や、壁３３０２、カーテン３３０３、床３３０４、ベッド３３０５に上述の線状無線タグ体を縦横に設ける。すると、無線タグ体内に配置された無線タグは平面的に配置されたことになる。
【００８０】
また、人の衣服３３０６を上述の無線タグ体を編んで作ったものを用いれば、この場合も人間の体に沿った曲面に、無線タグを配置した状態になる。
【００８１】
例えば、図３３に示したカーテン３３０３を線状無線タグ体を編んで作れば、図３４に示すようになる。即ち、線状無線タグ体３４０１が縦横に編まれると、各無線タグ３４０３が２次元的に配置されたことになる。そして、これらの線状無線タグ体の無線タグに温度と位置の情報を光信号に変える装置を設け、線状無線タグ体の各端に受光器を配置する。そうすれば各位置における温度を検知でき、全体として、部屋内の垂直方向の２次元的な温度分布を知ることができる。
【００８２】
天井３３０１に設けた線状無線タグ体によれば、部屋の天井における水平方向の２次元的な温度分布を知ることができる。衣服３３０６に設けた線状無線タグ体によれば、人体の表面の２次元的な温度分布を知ることができる。
【００８３】
なお、線状無線タグ体を縦横に配置すれば、例えば編むことにより、縦方向、横方向とも、互いに隣接する線状無線タグ体を所定間隔に配置することができ配置が容易である利点がある。
【００８４】
しかし、本発明では、線状無線タグ体は必ずしも縦横に配置しなくても、例えば縦方向のみ複数の線状無線タグ体を所定間隔、離して配置するようにしてもよい。
【００８５】
ところで、図３０及び図３２に示したように電力（エネルギー）及び光信号がデータとして伝送される場合には、図３５に示すように無線タグ３５０３が所定間隔で２次元的に配置されるとすると、電力の伝達は矢印３５０４に示すようになり、光信号は矢印３５０５に示すようになる。この場合には、１つの無線タグから他の近い無線タグにエネルギーが供給される。各無線タグから発した光信号は一方向にのみ伝送される。
【００８６】
更に一般的には、図３６に示すように無線タグが所定間隔で２次元的に配置されるとすると、これらの無線タグの１つから他の無線タグ３６０３に矢印３６０４に示すように電力（エネルギー）が供給される。また、その無線タグから得られた温度などの情報がデータとして矢印３６０５に示すようにまとめられて他の無線タグに伝えられていく。この場合の無線タグは他の無線タグから伝送されたデータを一旦受信し再び、他の無線タグに伝える情報の結合点として機能している。
【００８７】
図３６に示すようなシステムにおいて、エネルギーと情報データを分けて伝達するには、周波数による方法と、時間的に分割する方法がある。図３７（ａ）はエネルギー伝達の周波数３７０１と情報を伝達する周波数領域３７０２を分ける方法であり、図３７（ｂ）はエネルギー伝達のパルス３７０３と情報伝達のパルス３７０４を、送るタイミングを変える方法である。本発明ではエネルギーと情報を、上記周波数分離方法と時間分離方法のいずれを用いて分離してもよい。
【００８８】
ここで、複数の線状無線タグ体から各無線タグからの信号を集め、集めた情報を外部に送信する情報基地ユニットについて説明する。図３８に示すように、フィルム電子回路基板３８００の上に線状無線タグ体３８０１ａ、３８０１ｂ，３８０１ｃ，３８０１ｄの端部を集める。そしてフィルム電子回路基板３８００の中央にアンテナあるいはコイル３８０２を設ける。上記線状無線タグ体から集められた情報はアンテナ３８０２から外部に送信される。
【００８９】
ところで、本発明において、各無線タグにおいて、不揮発メモリを用いた温度センサを設ければ、各無線タグにおける温度を後で読み出すことが可能である。このような例についてここで説明する。図３９に最高温度を測定する原理図を示す。半導体の中に電子を閉じ込めるとポテンシャル井戸３９０１が形成され、測定前にその井戸の中に一定数の電子３９０２が蓄積する。そしてこの半導体の温度が上昇すると電子３９０２が熱により励起されてポテンシャル井戸３９０１の外に飛び出る確立が増加する。したがって、一定時間後にポテンシャル井戸３９０１に残っている電子の数を測定することにより、最高温度を推定することが可能となる。
【００９０】
また、図４０に示すように、一定の観測時間内に照射された光または放射線の最高強度を推定することも可能である。即ち、半導体中に形成されたポテンシャル井戸４００１に蓄積されている電子４００２のビット情報は、光や宇宙線、放射線の照射４００３によって、電子が励起状態になる。したがって、そのエントロピー変化がビット情報の変化に対応するので、光または放射線（宇宙線も放射線の一種）の最高強度を測定可能である。
【００９１】
また、ＴＭＲ（トンネル磁気抵抗効果）をビットメモリの保持に応用し、図４１に示すように電子４１０１に磁気スピン４１０２をかけることにより、磁気の記録が可能となる。この原理を用いたデバイスは最高の磁気の大きさの記録が可能なセンサが得られる。なぜならば、外部磁界によりスピン状態に擾乱が加わり、メモリ状態の変化になって記録されるためである。
【００９２】
また、加速度を測定するセンサとしては、圧電効果が得られる薄膜層をセンサ部に組み込み、そこで発生する電荷を保持することで最大加速度を記録することができる。
【００９３】
ところで、上記実施形態で説明では、無線タグは小径の球形をしているものとして説明した。しかし、本発明に用いられる無線タグはこのような形状に限られず、要するに大きさが数ｍｍ程度以下であれば、長方形や正方形、楕円形状など、形状はどのようなものであってもよい。
【００９４】
本発明の上記実施形態では無線タグは所定間隔離して配置される、として説明したが、この場合の「所定間隔」とは、定まった一定の間隔という意味ではなく、適当に間をおいて、という意味であり、不均一であってもよいし、一部、無線タグが接触した部分があってもよい。
【００９５】
また、上記実施形態では、温度や圧力を検知できるセンサを内蔵した無線タグを使用した場合について説明したが、センサが検出する対象はこれらに限られず、測定できるものであれば何であってもよい。また、本発明において用いられる無線タグは、センサを内蔵することは必ずしも必要でなく、単にその位置を送信する機能のみを有していてもよい。応用例として、線状体に組み込まれたアンテナ自体が切断などの損傷を受けた場合は、発信機能が失われることにより異常を検知でき、建築材料や亀裂をモニターすることが可能になる。また位置が特定できる場合には位置センサは必要でなく、温度などの測定ができるセンサだけでもよい。
【００９６】
本発明で用いられる受信機は、無線タグから送信される電気信号を受信できるものであれば、どのようなものであってもよい。
【００９７】
【発明の効果】
以上述べたように、本発明によれば、微小な無線タグを効率的に使用することができる線状無線タグ体、その製造方法などを得ることができる。
【図面の簡単な説明】
【図１】本発明一実施形態の線状無線タグ体の構造を示す図。
【図２】本発明一実施形態の線状無線タグ体の製造方法の一例を示す図。
【図３】本発明の他の実施形態の使用方法を説明するための図。
【図４】本発明の他の実施形態の線状無線タグ体の構造を示す図。
【図５】本発明の更に他の実施形態の線状無線タグ体の構造を示す図。
【図６】本発明の他の実施形態の線状無線タグ体の製造方法の一例を示す図。
【図７】本発明の更に他の実施形態の線状無線タグ体の構造を示す図。
【図８】本発明の更に他の実施形態の線状無線タグ体の構造を示す図。
【図９】本発明の他の実施形態の使用方法を説明するための図。
【図１０】本発明の更に他の実施形態の線状無線タグ体の構造を示す図。
【図１１】本発明の更に他の実施形態の線状無線タグ体の構造を示す図。
【図１２】本発明の更に他の実施形態の線状無線タグ体の構造を示す図。
【図１３】本発明の更に他の実施形態の線状無線タグ体の構造を示す図。
【図１４】本発明の更に他の実施形態の線状無線タグ体の構造を示す図。
【図１５】本発明の更に他の実施形態の線状無線タグ体の構造を示す図。
【図１６】本発明の更に他の実施形態の線状無線タグ体の製造方法を示す図。
【図１７】本発明の更に他の実施形態の線状無線タグ体の構造を示す図。
【図１８】本発明の更に他の実施形態の線状無線タグ体の構造を示す図。
【図１９】本発明の更に他の実施形態の線状無線タグ体の構造を示す図。
【図２０】本発明の更に他の実施形態の線状無線タグ体の構造を示す図。
【図２１】本発明の更に他の実施形態の線状無線タグ体の構造を示す図。
【図２２】本発明の更に他の実施形態の線状無線タグ体の構造を示す図。
【図２３】本発明の更に他の実施形態の線状無線タグ体の構造を示す図。
【図２４】本発明の更に他の実施形態の線状無線タグ体の構造を示す図。
【図２５】本発明の更に他の実施形態の線状無線タグ体の構造を示す図。
【図２６】本発明の更に他の実施形態の線状無線タグ体の構造を示す図。
【図２７】本発明の一実施形態に用いる発信器の一例を示す図。
【図２８】本発明の一実施形態に用いる発信器の他の一例を示す図。
【図２９】本発明の更に他の実施形態の線状無線タグ体の構造を示す図。
【図３０】図２９に示した無線タグを用いた場合の線状無線タグ体の端面における電力及びデータの光伝送の様子の一例を示す図。
【図３１】図３０に示した本発明の実施形態において温度変化によりデータ伝送周波数が変化することをを説明するための図。
【図３２】図２９に示した無線タグを用いて電磁界により電力を他の線状無線タグ体に伝送する様子の一例を説明するための図。
【図３３】本発明による線状無線タグ体を２次元的に設ける例を示す図。
【図３４】本発明による線状無線タグ体を編んだ場合の無線タグの配置を説明するための図。
【図３５】図２９に示す無線タグ体を用いた場合の情報及び電力の伝送の様子を説明するための図。
【図３６】本発明による線状無線タグ体を２次元的に配置したときの情報及び電力を伝送する様子を説明するための図。
【図３７】本発明の無線タグにより情報及び電力を伝送する方法を説明するための図。
【図３８】本発明の実施形態における情報ユニットを説明するための図。
【図３９】本発明の無線タグに設けられる温度センサの一例の原理を説明するための図。
【図４０】本発明の無線タグに設けられる光または放射線の最高強度を測定する原理を説明するための図。
【図４１】本発明の無線タグに設けられる磁気センサの一例の原理を説明するための図。
【符号の説明】
１１，４４，５１，６５，７４，８１，１００１，１１０４，１２０４，１３０４，１４０４，１９０１，２００１，２１０１，２２０１，２３０１，２４０１，２５０１，２６０１，２９０１・・・線状無線タグ体、１２・・・ポリマー、１３，３３，４３，５３，６３，７３，８３，９３，１００３・・・無線タグ、２２・・・パイプ、２３・・・融解ポリマー、２５・・・ポンプ、２６・・・ノズル、２８・・・巻取リール、３１・・・釣り糸、３５・・・受信機、４１，４２・・・テープ。
【図１】
2004005467.tif 000003
【図２】
2004005467.tif 000004
【図３】
2004005467.tif 000005
【図４】
2004005467.tif 000006
【図５】
2004005467.tif 000007
【図６】
2004005467.tif 000008
【図７】
2004005467.tif 000009
【図８】
2004005467.tif 000010
【図９】
2004005467.tif 000011
【図１０】
2004005467.tif 000012
【図１１】
2004005467.tif 000013
【図１２】
2004005467.tif 000014
【図１３】
2004005467.tif 000015
【図１４】
2004005467.tif 000016
【図１５】
2004005467.tif 000017
【図１６】
2004005467.tif 000018
【図１７】
2004005467.tif 000019
【図１８】
2004005467.tif 000020
【図１９】
2004005467.tif 000021
【図２０】
2004005467.tif 000022
【図２１】
2004005467.tif 000023
【図２２】
2004005467.tif 000024
【図２３】
2004005467.tif 000025
【図２４】
2004005467.tif 000026
【図２５】
2004005467.tif 000027
【図２６】
2004005467.tif 000028
【図２７】
2004005467.tif 000029
【図２８】
2004005467.tif 000030
【図２９】
2004005467.tif 000031
【図３０】
2004005467.tif 000032
【図３１】
2004005467.tif 000033
【図３２】
2004005467.tif 000034
【図３３】
2004005467.tif 000035
【図３４】
2004005467.tif 000036
【図３５】
2004005467.tif 000037
【図３６】
2004005467.tif 000038
【図３７】
2004005467.tif 000039
【図３８】
2004005467.tif 000040
【図３９】
2004005467.tif 000041
【図４０】
2004005467.tif 000042
【図４１】
2004005467.tif 000043